【事件の表示】
　平成　５年特許願第１０８０８３号「画像処理装置」拒絶査定不服審判事件〔平成　６年１１月２５日出願公開、特開平　６−３２５１６１〕について、次のとおり審決する。
【結　論】
　本件審判の請求は、成り立たない。
【理　由】
１．手続の経緯　
　本願は、平成５年５月１０日の出願であって、平成１６年６月２８日に拒絶査定がされ、これに対して平成１６年８月５日に拒絶査定不服審判が請求されるとともに、平成１６年８月１９日に手続補正がなされたものである。
　
２．本願発明について　
（１）平成１６年８月１９日付け手続補正書の特許請求の範囲の請求項１に記載された発明（以下、「本願発明」という。）は次のとおりである。　
「本文の画像の領域及び余白領域、更に、裁断又は印刷時の位置合わせのための複数の処理制御マーク画像の領域を上記余白領域内に含む文書を印字する画像形成装置であって、上記本文の画像を記憶するメモリと、上記マーク画像を記憶するメモリとを有し、前記両メモリ内の画像データを数ライン分毎に展開して出力する画像形成装置において、
　上記１頁の文書の印字を制御する出力制御回路を有し、
　前記出力制御回路は、上記両画像を当該各画像の出力位置に基づいて１頁の紙面上に出力するタイミングを生成する出力位置同期制御回路を有し、
　前記出力制御回路が上記本文領域の画像を記憶するメモリ及び上記マークの領域の画像を記憶するメモリから画像データを読み出し、前記出力位置同期制御回路が生成した上記タイミングに従って上記各読み出した画像データを順次出力させることにより、前記出力制御回路が１頁の文書の印字を実行することを特徴とする画像形成装置。」　
　
（２）引用例　
（２−１）原査定の拒絶の理由に引用された特開昭６３−８４３７７号公報（以下、「引用例１」という。）には、図面とともに、次のアないしエの記載がある。　
ア．「（産業上の利用分野）
　本発明は、たとえばオフセット印刷の印刷原版を作成する際に必要とされる色分解された原稿の画像を形成する画像形成装置に関する。」（第２頁左上の欄１９行目〜右上の欄２行目）
　
イ．「上記主制御部８１は、操作パネル２内のモードキー６１により、単色モードが選択された場合、位置合せ用マーク発生回路９７にマーク付与信号（“１“信号）を出力するようになっている。
　このような構成において第１図における信号の流れを説明する。原稿に対し照明ランプ１２から照射された光の反射光は光電変換器１３上に結像する。光電変換器１３は、この光をシアン（Ｃ）、グリーン（Ｇ）、イエロウ（Ｙ）のアナログの色信号に分離し、Ａ／Ｄ変換器９１へ送る。Ａ／Ｄ変換器９１は、このアナログの各色信号をそれぞれデジタル信号に変換し、解像度変換部９２へ送る。解像度変換部９２は、光電変換器１３の解像度とサーマルヘッド３１の解像度とを一致させるべく解像度変換を行ない、その結果を補正回路８４へ送る。補正回路８４は、解像度変換部９２から送られてきたＣ、Ｇ、Ｙの各色信号に対し、光電変換器１３のばらつきを補正するべく補正処理を行ない、その結果を輝度色差分離回路８５へ送る。輝度色差分離回路８５は、補正回路８４から送られてきたＣ、Ｇ、Ｙの各色信号に対し各種演算処理を行ない、輝度信号（Ｉ）、色差信号１（Ｃ１）、色差信号２　（Ｃ２）の各信号に分離し、画質改善回路８６へ送る。画質改善回路８６は、輝度色差分離回路８５から送られてきた輝度信号、色差信号１、色差信号２を解析し、エッジ強調、文字特定などの画像改善処理を行ない、色信号変換回路８７へ送る。色信号変換回路８７は、画質改善処理を施された輝度信号、色差信号１、色差信号２をもとに色変換を行ない、イエロウ（Ｙ）、マゼンタ（Ｍ）、シアン（Ｃ）、ブラック（Ｂ）［印刷時の三原色（Ｙ、Ｍ、Ｃ）プラスＢ］のいずれか１つの色信号に変換し、２値化回路８８へ送る。２値化回路８８は、色信号変換回路８７から送られてきた色信号（Ｙ、Ｍ、Ｃ，Ｂのうちのいずれか１つ）に対し面積階調変換、すなわち２値化を行ない、その２値化信号を位置合せ用マーク発生回路（発生手段）９７へ送る。位置合せ用マーク発生回路９７は、主制御部８１からのマーク付与信号（“１“信号）に応じて、２値化回路８８から送られてきた２値化信号に印刷位置合せ用マークＡのパターンを付与してサーマルヘッド温度制御部９３へ送るか、あるいは印刷位置合せ用マークＡのパターンを付与せずに２値化回路８８から送られてきた２値化信号をそのままサーマルヘッド温度制御部９３へ送る。サーマルヘッド温度制御部９３は、位置合せ用マーク発生回路９７から送られてきた２値化信号をもとにサーマルヘッド３１へ印刷信号を送る。サーマルヘッド３１は、この印刷信号に応じて印刷（つまり画像形成）を行なう。」（第５頁右上の欄１０行目〜右下の欄２０行目）　
　
ウ．「また、位置合せ用マーク発生回路９７について第１１図を参照して更に詳細に説明する。すなわち、上記主制御部８１からのデータ同期信号（ＤＣＬＫ）に応じてカウントアップし、ライン同期信号（ＨＳＹＮＣ）に応じてクリアする水平カウンタ１００、上記主制御部８１がらのライン同期信号（ＨＳＹＮＣ）に応じてカウントアップし、ページ同期信号（ＰＳＹＮＣ）に応じてクリアする垂直カウンタ１０１、上記水平カウンタ１００からのカウント値とＲＯＭ１０３の出力端１０３ａからのパターン選択信号とに対応したアドレスの信号を出力端１０２ａ（ＨＤ１）、１０２ｂ（ＨＤ２）から出力するＲＯＭ１０２、上記垂直カウンタ１００からのカウント値に対応したアドレスの信号を出力端１０３ａ（ＶＤ１）、１０３ｂ（ＶＤ２）から出力するＲＯＭ１０３、出力端１０２ａから供給される水平方向のマーク信号と出力端１０３ｂから供給される垂直方向のマーク信号とのアンドを取るアンド回路１０４、上記主制御部８１からのマーク付与信号（ＭＣＯＭ）と上記アンド回路１０４の出力とのアンドを取るアンド回路１０５、このアンド回路１０５からの出力がインバータ回路１０６を介して供給されないときにのみ、上記２値化回路８８からの２値化信号（画像データ、ＲＤＡＴ）を上記サーマルヘッド温度制御部９３へ出力するバッファ１０７、および上記アンド回路１０５からの出力が供給されたときにのみ、上記ＲＯＭ１０２の出力端１０２ｂからのトンボマークデータ（位置合せ用マークデータ）を上記サーマルヘッド温度制御部９３へ出力するバッファ１０８によって構成されている。
　上記ＲＯＭ１０２、１０３に印刷位置合せ用マ−クＡのパターンが設定されており、各出力とサーマルヘッド温度制御部９３へ出力されるデータとの関係は下記に示す表のようになっている。
　したがって、第１２図（ａ）に示すように、４隅に対応して印刷位置合せ用マークＡのパターンが出力され、それ以外は２値化回路８８からの画像データがそのまま上記サーマルヘッド温度制御部９３へ出力される。この結果、第１２図（ｂ）に示すような、４隅に印刷位置合せ用マークＡが印刷され、それ以外に画像が印刷されるようになっている。」（第６頁右上の欄８行目〜右下の欄２０行目）　
　
エ．「したがって、単色モードで、原稿画像の１つの色成分に対する画像形成が行われる際、第１２図（ａ）に示すように、４隅に対応して印刷位置合せ用マークＡのパターンが出力され、それ以外は２値化回路８８からの１つの色成分に対する画像データがそのまま上記サーマルヘッド温度制御部９３へ出力される。この結果、第１２図（ｂ）に示すような、４隅に印刷位置合せ用マークＡが印刷され、それ以外に１つの色成分に対する画像が印刷されるようになっている。
　このように、原稿を光学的に走査してシアン、グリーン、イエロウの３種類の色信号として読取り、これら３種類の色信号をイエロウ、マゼンタ、シアン、ブラックの４色の画像形成信号に変換し、これら４色の画像形成信号のうちの１つの画像形成信号、あるいは順次出力される４つの画像形成信号に応じて黒一色の熱転写インクリボンを用いてプラスチックフィルムあるいは用紙上に画像形成を行なうものである。」（第９頁左上の欄４行目〜右上の欄２行目）
　
　そうすると、引用例１には、以下の発明（以下、「引用発明」という。）が記載されている。
「原稿画像及び、複数の位置合わせ用マークを含む文書を印字する画像形成装置であって、原稿を光学的に走査し、色信号を得て、それを２値化し画像データを得てるとともに、上記位置合わせ用マークを記憶するＲＯＭを有し、画像データとＲＯＭ内の上記位置合わせ用マークを出力する画像形成装置において、
　上記１頁の文書の印字を制御する主制御部を有し、
　主制御部は、位置合わせ用マークと画像データをそれぞれの出力位置に基づいて１紙面上に出力するタイミングを生成する位置合わせ用マーク発生回路を有し、
　主制御部が上記位置合わせ用マークの領域の画像を記憶するＲＯＭから画像データを読み出し、前記位置合わせ用マーク発生回路が生成した上記タイミングに従って上記各読み出した画像データを順次出力させることにより、前記主制御部が１頁の文書の印字を実行することを特徴とする画像形成装置。」
　
（３）対比　
　引用発明の「原稿画像」、「位置合わせ用マーク」、「ＲＯＭ」、「主制御部」、「位置合わせ用マーク発生回路」は、本願発明の「画像」、「処理制御マーク画像」、「メモリ」、「出力制御回路」、「出力位置同期制御回路」にそれぞれ相当する。
　本願発明と引用発明は、両者ともに「画像形成装置」であり、引用発明の原稿画像及び、複数の位置合わせ用マークを含む文書を印字することは、原稿画像及び、複数の位置合わせ用マークのそれぞれの領域に印刷することであるから、引用発明の「原稿画像の領域及び、複数の位置合わせ用マークの領域を含む文書を印字する画像形成装置」は、本願発明の「本文の画像の領域及び裁断又は印刷時の位置合わせのための複数の処理制御マーク画像の領域を含む文書を印字する画像形成装置」に相当する。　
　
　よって、本願発明と引用発明とは、以下の【一致点】及び【相違点】を有する。　
【一致点】
　「本文の画像の領域及び、裁断又は印刷時の位置合わせのための複数の処理制御マーク画像の領域を含む文書を印字する画像形成装置であって、上記マーク画像を記憶するメモリとを有し、メモリ内の画像データを出力する画像形成装置において、
　上記１頁の文書の印字を制御する出力制御回路を有し、
　前記出力制御回路は、上記両画像を当該各画像の出力位置に基づいて１頁の紙面上に出力するタイミングを生成する出力位置同期制御回路を有し、
　前記出力制御回路が上記マークの領域の画像を記憶するメモリから画像データを読み出し、前記出力位置同期制御回路が生成した上記タイミングに従って上記各読み出した画像データを順次出力させることにより、前記出力制御回路が１頁の文書の印字を実行することを特徴とする画像形成装置。」　
　
【相違点１】　本願発明は、本文に「余白領域」を有し、処理制御マーク画像の領域を「余白領域内に」含んでいるのに対して、引用発明は、そのような構成を有していない点。
　
【相違点２】　本願発明は、「本文の画像を記憶するメモリ」を有し、出力制御回路が「本文領域の画像を記憶するメモリ」から画像データを読み出しているのに対して、引用発明は、原稿を光学的に走査し、色信号を得て、それを２値化し画像データを得ている点。
　
【相違点３】　本願発明の画像形成装置は、画像データを「数ライン分毎に展開して」出力するものであるのに対し、引用発明の画像形成装置は、そのような構成を有していない点。　
　
（４）判断　
【相違点１】について　
　一般に、印刷原版として、画像が記載された主要部の他に、その周辺部に余白を設けた原稿を用いることは普通のことであり、その際に周辺部の余白の一部に位置合わせ用マークを設けることも、普通に行われていることであり、引用発明の本文は、印刷原版であることから、引用発明の本文の周辺部に余白を設け、その余白に位置合わせ用マークを設けることは、当業者が容易に想到し得ることである。　
　
【相違点２】について　
　画像データを記憶装置に格納し、その画像データを用いて印刷することは周知技術であり、また、原稿を光学的に読み取り、この読み取ったデータを記憶装置に記憶するようにすることも周知技術であるから、引用発明において、原稿を光学的に走査し、色信号を得て、それを２値化し画像データを得ることに換えて、記憶装置を設け、画像データを記憶装置に記憶しておき、印刷する際に記憶装置に記憶された画像データを読み出すようにすることは、当業者が容易に想到し得ることである。　
　
【相違点３】について　
　画像形成装置の技術分野において、「分割出力方式」は周知技術であり、この「分割出力方式」を引用発明に適用することを困難とする格別の事情は認められないから、引用発明の画像形成装置として、「分割出力方式」を用いることにより、画像データを「数ライン分毎に展開して」出力するようにすることは、当業者が容易に想到し得ることである。　
　なお、本願明細書の詳細な説明の欄には、従来の技術として、「出力すべき画像データのうちビーム走査方向（以下、水平方向という。）の画像データを数ライン分もしくは全ライン数分だけメモリ等の記憶装置に展開し、展開した画像データを出力装置からの制御信号に同期させて出力していた。上述した画像データを数ライン分展開して出力する方式は、いわゆる分割出力方式と呼ばれ、比較的小さな容量の画像メモリを用いて、出力途中で用紙の送りを停止させながら、画像データの出力と展開を繰り返している。」（【０００３】、【０００４】）と記載されているとおり、本願発明の画像形成装置の画像データを「数ライン分毎に展開して」出力することは、従来の技術である「分割出力方式」を示すことは明らかである。　
　
（５）むすび　
　以上のとおり、請求項１に係る発明は、引用例１に記載された発明及び周知技術に基づいて、当業者が容易に発明をすることができたものであるから、特許法２９条第２項の規定により特許を受けることができない。　
　
　よって、結論のとおり審決する。